(57)【要約】【課題】選局や録画情報や好みの設定情報をもとにした番組推薦であっても、利用ユーザが複数いる場合は推薦された番組のすべてに満足することはできない。また利用者が一人であっても、そのときの気分によって推薦してほしい番組は異なるためやはり推薦されたすべての番組に満足することは難しい。【解決手段】あらかじめ推薦番組を抑制する設定を複数持ち、その提示場面で設定を切り換えることで、そのとき不要な番組の推薦を抑制する。【選択図】図１
2006254030.tif 000002
【特許請求の範囲】
【請求項１】
ユーザの嗜好と一致した番組を提示する推薦番組表示装置において、ＥＰＧデータとユーザ嗜好情報から推薦番組を選択する番組推薦手段と、推薦抑制設定情報を複数記憶し、推薦番組を抑制とする推薦抑制手段と、その抑制された推薦情報を表示と抑制条件をボタン一つで切り換えて再表示することを特徴とする推薦番組表示装置。
【発明の詳細な説明】
【技術分野】
【０００１】
本発明は、推薦番組表示装置及びその方法に関し、更に詳しくは、複数の推薦抑制設定と、その切り換え手段を持つことにより、そのときに必要な推薦情報だけを提示する推薦番組表示装置及びその方法に関する。
【背景技術】
【０００２】
テレビジョン放送は、従来のアナログ放送からデジタル放送へ放送形態がシフトすることにより、多チャンネル化が行われた。アナログ放送では十数チャンネルだったチャンネル数が、デジタル放送では数百チャンネルにも及び、それら数百のチャンネルで放送される番組は数え切れない程になる。ユーザはこの莫大な数の番組の中から視聴したい番組を選択しなければならない。そこでユーザの番組選択を支援する番組推薦装置が公知である（例えば、特許文献１参照）。
【０００３】
上記番組推薦装置は、放送受信機外部から受信した各番組の番組内容と過去の視聴履歴に基づきユーザの好みを数値化したユーザプロファイルを用いて各番組をスコアリングし、スコアの高い番組をユーザに提示するとともに、ユーザが視聴した番組を元にユーザプロファイルを更新する。
【特許文献１】特開２００２−３２０１５９号公報
【発明の開示】
【発明が解決しようとする課題】
【０００４】
しかしながら、上記従来の番組推薦装置では、複数人でテレビジョンを利用した場合や、推薦番組を閲覧するときの気分に応じて推薦される番組を切り換えることができないという問題があった。
【課題を解決するための手段】
【０００５】
本発明の推薦番組表示装置は、推薦結果を抑制する設定を複数持ち、そのときの気分やユーザに応じて推薦結果の提示画面を切り換える手段を持つことを特徴とする。
【発明の効果】
【０００６】
本発明の推薦番組表示装置によれば、推薦番組の閲覧の際に、あらかじめ設定した抑制設定を選択することで、不要な推薦結果を取り除き、必要な推薦結果のみを表示することができる。
【発明を実施するための最良の形態】
【０００７】
（実施の形態１）
図１は、本発明の実施の形態１による複数の推薦抑制設定とその切り換え手段を持つ推薦番組表示装置の構成を説明するための図である。以下、図１を用いて上記推薦番組の抑制装置の構成を説明する。
【０００８】
１０１は従来の技術で構成された番組推薦装置であり、１０２のＥＰＧデータと１０３の嗜好情報から推薦番組を決定する。１０３の嗜好情報は初めにユーザに尋ねて登録をしたり、選局動作や予約動作による視聴履歴などから作られたりする。１０１で作られた推薦番組データは１０４の推薦制御装置に渡される。１０４は１０５の推薦抑制設定情報を参照し、抑制条件を決定する。ここで１０５はあらかじめ設定された推薦抑制設定を複数持ち、現在どの設定を利用するかの情報を持っている。１０４は１０５をもとに、抑制条件に合致した情報を削除して、１０６の表示部へ推薦番組データを渡す。１０６では１０５から送られてきた推薦番組データと１０５でどの設定情報が選択されているかの情報も表示する。１０７の制御装置は１０１、１０４、１０６を制御し、１０６の表示内容を見たユーザが抑制条件を切り換えた場合は、１０４を制御し、新しい抑制情報を元につくられた表示内容を生成する。
【０００９】
１０６で推薦番組を提示した場合、他の人のために設定した抑制設定である場合や、自分の現在の気分によって、不要な推薦番組が表示されることがある。このように推薦内容に不満がある場合は、抑制条件を切り換えて再表示させることにより不要な推薦を抑える。
【００１０】
（実施の形態２）
図２は、本発明の実施の形態２の推薦番組の抑制設定画面である。推薦番組表示装置の構成は、実施の形態１で示した図１のブロック図と同様であるため説明を省略する。
【００１１】
抑制する条件として設定できるのは、いつも見ている番組、見たことがない番組、時間帯、放送ネットワーク、放送チャンネル、番組のジャンル、番組の出演者、その他のユーザが登録した語句を含む番組である。１０４はこの設定を確認して１０１からの推薦番組で一致するものを削除し、１０６へ渡す。
【００１２】
この抑制設定の複数登録可能とし、実際に推薦番組を表示させる場面で複数登録した抑制設定を切り換えて利用する。
【００１３】
（実施の形態３）
図３は、本発明の実施の形態３の推薦番組表示画面である。推薦番組表示装置の構成は、実施の形態１で示した図１のブロック図と同様であるため説明を省略する。また抑制設定画面は、実施の形態２で示した図２と同様であるため説明を省略する。
【００１４】
３Ａは推薦番組を一覧表示した図である。１０１でユーザの嗜好と一致したと考える番組の情報を順番に表示する。１０１の出力結果はテレビの利用状況によって変わるため、複数人で利用した場合は自分の嗜好と合わない番組が表示される可能性がある。本発明では、自分の嗜好から外れる番組表示を抑制するために、抑制設定選択手段を持っている。設定の選択手段としては、リモコンの黄キーを使い、黄キーを押すことで、図２の抑制選択画面で設定した抑制設定を加味した一覧表示を再表示する。黄キーは押すたびに、登録した抑制設定を切り換えトグル動作する。なお、選択手段は、黄キーのみのトグルではなく複数のキーに各抑制設定を一つずつ割り当ててもよいし、選択用のメニューを用意してもよい。なお、あらかじめ時間帯によって自動的に設定が変わるようにしておいてもよい。
【００１５】
３Ｂは番組表のラテ欄表示に推薦する番組にアイコンを使って印をつけている。１０１によるスコアに応じてアイコンを切り換えている。３Ｂでも、選択手段を明示し、黄キーによって抑制設定を切り換え、推薦番組の抑制を実現している。
【００１６】
３Ｃは１０１でユーザの嗜好と一致したと判断された番組の開始時間のポップアップで表示が行われる。この表示がでているときに、リモコンの決定キーを押すことにより、推薦番組が放送されているチャンネルへ移動する。このとき、１０４で番組抑制が働いていた場合は、その抑制設定の種類を明示する。抑制設定を切り換えたいときは、この画面で黄キーを押すことで変更できる。
【産業上の利用可能性】
【００１７】
本発明の推薦番組表示装置は、推薦結果を抑制する設定を複数持ち、番組推薦機能を有するＡＶ機器で有用である。
【図面の簡単な説明】
【００１８】
【図１】本発明に関わる推薦番組表示装置の概略構成を示したブロック図
【図２】本発明で用いる抑制設定画面を示した図
【図３】（３Ａ）推薦番組一覧表示を示した図、（３Ｂ）番組表のラテ欄への推薦番組表示を示した図、（３Ｃ）推薦番組開始を示した図
【符号の説明】
【００１９】
１０１    番組推薦装置
１０４    推薦抑制装置
【図１】
2006254030.tif 000003
【図２】
2006254030.tif 000004
【図３】
2006254030.tif 000005